(57)【要約】【課題】ヒートポンプユニットに別設貯湯ユニットを並設できるようにし、家屋周辺の狭い通路やベランダに設置可能な、日本の住宅事情にマッチした機器を提供する。【解決手段】湯を温めるヒートポンプ加熱手段２と、温めた湯を貯める第一貯湯タンク８が一体的に構成されると共に、希望に応じて別設貯湯ユニットＡが並設できるように着脱自在な配管接続部Ｍを備え、ヒートポンプ給湯装置の設置自由度と経済性を向上させている。【選択図】図１
2005188762.tif 000002
【特許請求の範囲】
【請求項１】
大気熱を冷媒に回収し給湯用熱交換器を介して水を加熱するヒートポンプ加熱手段と、前記ヒートポンプ加熱手段で加熱された湯を貯める第一貯湯タンクが一体的に構成されたヒートポンプユニットを基本とし、前記ヒートポンプユニットとは別に構成した別設貯湯ユニットを並設できるように着脱自在な配管接続部を備えたヒートポンプ給湯装置。
【請求項２】
ヒートポンプユニットと別設貯湯ユニットの並設状態において、高さ、奥行き寸法のうち少なくともどちらか一方を同一寸法とした請求項１記載のヒートポンプ給湯装置。
【請求項３】
ヒートポンプユニットと別設貯湯ユニットの配管接続部は、互いに機器本体の前後左右と天面と底面のいずれかの同一外装面に臨むように配設した請求項１または２記載のヒートポンプ給湯装置。
【請求項４】
ヒートポンプユニットの配管接続部の配列に対して、別設貯湯ユニットの第二配管接続部の配列は、逆配列となるように配置した請求項１〜３のいずれか１項記載のヒートポンプ給湯装置。
【請求項５】
ヒートポンプユニットと別設貯湯ユニットの並設形態において、給水管からタンクへの給水経路をヒートポンプユニットの第一貯湯タンク側、又は別設貯湯ユニット側に切り換える給水切換弁と、ヒートポンプ加熱手段への給水経路をヒートポンプユニットの第一貯湯タンク側から、又は別設貯湯ユニット側からに切り換える入水切換弁とを備え、用途に応じてヒートポンプユニットでの単独運転又は別設貯湯ユニットとの並設運転を可能にした請求項１〜４のいずれか１項記載のヒートポンプ給湯装置。
【請求項６】
ヒートポンプユニットと別設貯湯ユニットの並設形態において、ヒートポンプ加熱手段からの戻り経路をヒートンプユニットの第一貯湯タンク側、又は別設貯湯ユニット側に切り換える戻り水切換弁とを備えた請求項１〜５のいずれか１項記載のヒートポンプ給湯装置。
【請求項７】
別設貯湯ユニットに内蔵された別設貯湯タンクには、第一貯湯タンクの給水接続口と接続することのできる第二給水接続口と、第一貯湯タンクの入水接続口と接続することのできる第二入水接続口と、第一貯湯タンクのタンク接続口、あるいは、別設貯湯タンク同士を接続することのできる第二タンク接続口を備えた請求項１〜６のいずれか１項記載のヒートポンプ給水装置。
【請求項８】
ヒートポンプユニットに別設貯湯タンクを直列に複数個接続する場合は、最下流に位置する別設貯湯タンクの第二給水接続口と、ヒートポンプユニットの第一貯湯タンクの給水接続口を接続し、最下流に位置する別設貯湯タンクの第二入水接続口と第一貯湯タンクの入水接続口を接続するようにした請求項１〜７のいずれか１項記載のヒートポンプ給湯装置。
【発明の詳細な説明】
【技術分野】
【０００１】
本発明は、大気熱を回収して湯を加熱する加熱手段を備えたヒートポンプ給湯装置に関するものである。
【背景技術】
【０００２】
従来、この種のヒートポンプ給湯装置は、大気熱を冷媒に回収し熱交換器を介して水を加熱するヒートポンプユニットと、前記ヒートポンプユニットで加熱された湯を貯めておく貯湯タンクユニットをそれぞれ分離して設置し、前記ヒートポンプユニットと貯湯タンクユニットを配管接続として使用するという構成が一般的であった。この場合、それぞれを接続するための配管接続工事を必要とした。しかし、最近では、配管接続工事の手間を少なくするためにヒートポンプユニットと貯湯タンクユニットを一体化して構成されたものがある（例えば、特許文献１参照）。
【０００３】
以下、その従来構成を説明するが、本願発明との構成の差異を明確にするため前記特許文献１とは多少異なる構成を用いて説明する。
【０００４】
図４において、ヒートポンプ給湯装置４１は、円筒形状の第一貯湯タンク４２と第二貯湯タンク４３を連接配管４４により直列に接続して貯湯タンクユニットを構成し、第二貯湯タンク４３に接続された給水管４５より給水し、第二貯湯タンク４３内の水をヒートポンプ往き管４６によりヒートポンプユニット４７に導き熱交換器を介して加熱し、加熱された湯をヒートポンプ戻り管４８を介して第一貯湯タンク４２に貯湯するようになっている。貯湯された湯は第一貯湯タンク４２に接続された出湯管４９からカラン５０を介して出湯するようになっている。
【０００５】
そして、貯湯タンクユニットとヒートポンプユニット４７を１つの筐体内に収納して一体化構成としてある。
【特許文献１】特開２００３−３１４８９２号公報
【発明の開示】
【発明が解決しようとする課題】
【０００６】
近年、ヒートポンプ給湯装置などの貯湯式給湯装置においては、日本の住宅事情に適応した家屋周辺の狭い通路への設置やベランダへの設置が可能な機器本体の奥行き寸法が小さい薄型本体が望まれている。一方、湯切れを心配しないで済むように貯湯タンクは大容量化傾向にあり機器の設置面積としては増加傾向にある。そこで、大容量化と機器本体の薄型化実現のために、胴径の細い貯湯タンクを複数本直列に接続することにより対応していた。
【０００７】
しかしながら、ヒートポンプユニットと貯湯タンクが一体化されたことにより、横幅寸法が大きくなっているにも拘わらず、さらに貯湯タンク本数が増えることにより機器本体の横幅が大きくなり、家屋周辺の通路に設置する場合において十分な設置スペースが確保できないことや、ベランダへの設置が困難であるという課題を有していた。
【課題を解決するための手段】
【０００８】
本発明は上記課題を解決するために、大気熱を冷媒に回収し給湯用熱交換器を介して水を加熱するヒートポンプ加熱手段と、前記ヒートポンプ加熱手段で加熱された湯を貯める第一貯湯タンクが一体的に構成されたヒートポンプユニットを基本とし、前記ヒートポンプユニットとは別に構成した別設貯湯ユニットを並設できるように着脱自在な配管接続部を備えた構成としたものである。
【０００９】
これによって、最低限必要な湯量を確保するための貯湯タンクを内蔵したヒートポンプユニットに、別設貯湯ユニットを並設することにより、用途に応じて貯湯量を任意に増やすことができ、さらに別設貯湯ユニットの設置場所も適所に選ぶことができる設置自由度の高い機器を提供することができる。
【発明の効果】
【００１０】
本発明のヒートポンプ給湯装置は、ヒートポンプユニットに着脱自在な別設湯貯湯ユニットが並設できるので、ユーザーの希望に応じて貯湯量を増やすことができると共に、必ずしもヒートポンプユニットと別設貯湯ユニットを同じ場所に設置する必要がないので、設置自由度が高い機器を提供することができる。
【発明を実施するための最良の形態】
【００１１】
第１の発明は、大気熱を冷媒に回収し給湯用熱交換器を介して水を加熱するヒートポンプ加熱手段と、前記ヒートポンプ加熱手段で加熱された湯を貯める第一貯湯タンクが一体的に構成されたヒートポンプユニットを基本とし、前記ヒートポンプユニットとは別に構成した別設貯湯ユニットを並設できるように着脱自在な配管接続部を備えた構成としたもので、ヒートポンプユニットに着脱自在な別設湯貯湯ユニットが並設できるので、ユーザーの使用湯量や家族構成に応じて貯湯量を増やすことができると共に、必ずしもヒートポンプユニットと別設貯湯ユニットを同じ場所に設置する必要がないので、設置自由度が高い日本の住宅事情にマッチした機器を提供することができる。
【００１２】
第２の発明は、ヒートポンプユニットと別設貯湯ユニットの並設形態において、高さ、奥行き寸法のうち少なくともどちらか一方を同一寸法としたもので、ヒートポンプユニットと別設貯湯ユニットを並設した場合に、高さ、奥行き寸法の少なくともどちらか一方が同一寸法なので見栄えが良いと共に、施工しやすい機器を提供することができる。
【００１３】
第３の発明は、ヒートポンプユニットと別設貯湯ユニットの配管接続部が、互いに機器本体の前後左右と天面と底面のいずれかの同一外装面に臨むように配設する構成としたもので、ヒートポンプユニットと別設貯湯ユニットを並設した場合に、互いの配管接続部が同一の外装面、例えば正面側に臨むように配設されていたとすると、横並びに設置した場合や、背中合わせに並設した場合や、あるいは向かい合わせに設置した場合において配管工事がしやすく、配管の見栄えも良いというメリットがある。
【００１４】
第４の発明は、ヒートポンプユニットの配管接続部の配列に対して、別設貯湯ユニットの第二配管接続部の配列が、逆配列となるように配置したもので、別設貯湯ユニットの配管接続部の配列が逆配列となっていることにより、ヒートポンプユニットと別設貯湯ユニッットを横並びに設置した場合や、背中合わせに並設した場合や、あるいは向かい合わせに設置した場合において、互いに接続し合う接続部が相対する位置にあるので、配管がクロスすることがなく施工がしやすいと共に、配管の見栄えも良いというメリットがある。
【００１５】
第５の発明は、ヒートポンプユニットと別設貯湯ユニットの並設形態において、給水管からタンクへの給水経路をヒートポンプユニットの第一貯湯タンク側、又は別設貯湯ユニット側に切り換える給水切換弁と、ヒートポンプ加熱手段への給水経路をヒートポンプユニットの第一貯湯タンク側から、又は別設貯湯ユニット側からに切り換える入水切換弁とを備え、用途に応じてヒートポンプユニットでの単独運転又は別設貯湯ユニットとの並設運転を可能とした構成とたもので、ユーザーの必要とする湯量が少ない場合にはヒートポンプユニットの第一貯湯タンクのみに貯湯する単独運転を行い、必要とする湯量が増えた場合にはヒートポンプユニットと別設貯湯ユニットの両方で貯湯する並設運転が行えるようになっており、貯湯する湯量を必要に応じて増やすことができるので、無駄な沸かし過ぎがない経済的な機器を提供することができる。
【００１６】
第６の発明は、ヒートポンプユニットと別設貯湯ユニットの並設形態において、ヒートポンプ加熱手段からの戻り経路をヒートンプユニットの第一貯湯タンク側、又は別設貯湯ユニット側に切り換える戻り水切換弁を備えた構成としたもので、戻り水切換弁を備えていることにより、ヒートポンプ加熱手段での水の加熱温度が所定の温度に達していない場合には、一度タンク下部に湯を戻し、再び所定の温度以上になるようにヒートポンプ加熱手段で湯を加熱することができるようになっている。また、ヒートポンプユニットの単独運転を行っている場合は、ヒートポンプユニット側の第一貯湯タンク下部に湯を戻し、別設貯湯ユニットとの並設運転を行っている場合には別設貯湯ユニット側のタンク下部に湯を戻すようになっており、所定温度以上の湯だけを確実にタンク上部より貯湯することができ、使い勝手の良い機器を提供することができる。
【００１７】
第７の発明は、別設貯湯ユニットに内蔵された別設貯湯タンクには、第一貯湯タンクの給水接続口と接続することのできる第二給水接続口と、第一貯湯タンクの入水接続口と接続することのできる第二入水接続口と、第一タンクのタンク接続口、あるいは、別設貯湯タンク同士を接続することのできる第二タンク接続口を備えた構成としたもので、別設貯湯タンクに第二給水接続口と第二入水接続口と第二タンク接続口が備わっていることにより、別設貯湯タンクを直列に複数個接続することが可能となり、ユーザーは貯湯量を広範囲に増やすことができると共に、貯湯式の課題である湯切れの心配をすることなく湯を使用することができる。
【００１８】
第８の発明は、ヒートポンプユニットに別設貯湯タンクを直列に複数個接続する場合は、最下流に位置する別設貯湯タンクの第二給水接続口と、第一貯湯タンクの給水接続口を接続し、最下流に位置する別設貯湯タンクの第二入水接続口と第一貯湯タンクの入水接続口を接続する構成としたもので、給水が最下流に位置する別設貯湯タンクに行われることにより、貯湯されている湯は全て最上流に位置する第一貯湯タンクから出湯させることができ、別設貯湯タンクに湯があるのに第一貯湯タンクには湯がないとうようなことがなく、効率的に湯を使用することができる。また、出湯温度をコントロールする制御部は第一貯湯タンク側のみに備えておけばよく、機器構成の簡素化を図ることができる。
【００１９】
以下、本発明の実施の形態について、図面を参照しながら説明する。なお、本実施の形態によって本発明が限定されるものではない。
【００２０】
（実施の形態１）
図１は、本発明の第１の実施の形態１におけるヒートポンプ給湯装置のシステム構成図である。
【００２１】
図１において、１はヒートポンプユニットで、２はヒートポンプ加熱手段、３は冷媒を加熱する圧縮機、４は加熱された冷媒を熱交換させて水を温める給湯用熱交換器、５は冷媒を減圧膨脹させる膨脹弁、６は大気熱より熱を回収し、冷媒を気化蒸発させる大気熱交換器、７は大気熱交換器６に外気を供給する送風機で、圧縮機３と給湯用熱交換器４と膨脹弁５と大気熱交換器６と送風機７でヒートポンプ加熱手段２を形成している。
【００２２】
８はヒートポンプ加熱手段２で温められた湯を貯める円筒状の第一貯湯タンク、９は第一貯湯タンク８に水道水を供給する給水管で、配管途中に給水圧を減圧する減圧弁１０と第一貯湯タンク８以外の別設貯湯タンクにも給水ができるよう給水経路を切り換えるための給水切換弁１１が取り付けてある。１２は給水切換弁１１に設けられた別設貯湯タンクと接続するための給水接続口である。１３は第一貯湯タンク８の底部に配管接続された別設貯湯タンクを接続するためのタンク接続口、１４はＨＰ往き管で、第一貯湯タンク８の底部の水を給湯用熱交換器４へと導き、熱交換した水はＨＰ戻り管１５より第一貯湯タンク８に貯湯されるようになっている。
【００２３】
ＨＰ往き管１４の配管途中には、給湯用熱交換器４へ送る水を第一貯湯タンク８から導くのか、別設貯湯タンクから導くのかの流路が切り換えられるようになっている入水切換弁１６と、第一貯湯タンク８の水を底部から上部へと送る積層ポンプ１７が取り付けてある。ＨＰ戻り管１５の配管途中には、三方弁１８が取り付けてあり、給湯用熱交換器４で熱交換した後の湯温が所定温度以下であることを沸き上げサーミスタＳが検知すると、三方弁１８の流路を切り換え、湯を第一貯湯タンク８の上部へと導く流路から、貯湯タンク戻り管２１を通って第一貯湯タンク８の底部に導くようになっている。
【００２４】
すなわち、第一貯湯タンク８とＨＰ往き管１４と入水切換弁１６と積層ポンプ１７と給湯用熱交換器４と三方弁１８とＨＰ戻り管１５とで沸き上げ回路１９を形成している。２０は入水切換弁１６に取り付けられた別設貯湯タンクを接続するための入水接続口である。２２は貯湯タンク戻り管２１の配管途中に取り付けられた戻り水切換弁で、別設貯湯タンクを接続した場合には、三方弁１８から導かれた湯を別設貯湯タンクに導くように流路切り換えするためのもので、別設貯湯タンクと接続するための切換接続口２３を備えている。
【００２５】
以上の説明で明らかなように、ヒートポンプユニット１に別設貯湯タンクを接続する場合には、給水接続口１２とタンク接続口１３と入水接続口２０切換接続口２３より為る配管接続が着脱自在な配管接続部Ｍに配管を介して接続することになる。また、本実施例では配管接続部Ｍをヒートポンプユニット１の前面Ｆに臨むように配設し、その配列を本体の右側から給水接続口１２、タンク接続口１３、切換接続口２３、入水接続口２０の順に配置している。２４は電動式の混合弁で、第一貯湯タンク８と配管接続された給湯パイプ２５と給水管９に配管接続されていて、設定温度に応じて内蔵されている弁体（図示せず）の開度比率を制御する事で所望の温度の混合水を得る構成としてある。２６は混合された混合水の温度を検知する温度検出器である給湯サーミスタ、２７は出湯管で、給湯口であるカラン２８を接続している。
【００２６】
次に、以上のような構成において動作を説明する。まず、沸き上げを行う場合には、圧縮機３から吐出した高温高圧のガス冷媒が、給湯用熱交換器４に流入する。一方、第一貯湯タンク８の下部の水は、積層ポンプ１７によってＨＰ往き管１４を通り給湯用熱交換器４に流入し、ここで冷媒の凝縮熱によってＨＰ往き管１４内の水は加熱され、高温水となってＨＰ戻り管１５を通り第一貯湯タンク８上部から貯湯される。凝縮気化した冷媒は、膨脹弁５で減圧され、大気熱交換器６で熱回収された大気熱により気化蒸発させられ、再び圧縮機３に流入して１サイクルの運転となる。ヒートポンプ加熱手段２での沸上げ運転時に、湯の温度が所定の温度以下であることを沸き上げサーミスタＳが検知すると、三方弁１８が流路を切り換え、湯を貯湯タンク戻り管２１から戻り水切換弁２２を通って第一貯湯タンク８の底部に戻す。そして、沸き上げサーミスタＳが所定の温度以上の湯温を検出すると、沸き上がった湯をＨＰ戻り管１５を通って第一貯湯タンク８上部に流れるように三方弁１８の流路を制御する。
【００２７】
次に給湯動作について説明する。カラン２８が開かれると、入水サーミスタ２６で検出される温度と設定温度を比較し、設定温度になるように混合弁２４により第一貯湯タンク８の湯と給水管９からの水道水が混合され、所望の温度の湯が出湯されるようになっている。一方、第一貯湯タンク８には、湯が出湯されると同時に水道水が給水管９から第一貯湯タンク８内に供給されるようになっている。
【００２８】
なお、本実施例ではヒートポンプユニット１に別設貯湯ユニットを接続していないので、給水接続口１２、タンク接続口１３、入水接続口１６、切換接続口２３は袋ナット等で閉止されている。
【００２９】
（実施の形態２）
図２は、本発明の第２の実施の形態におけるヒートポンプ給湯装置のシステム構成図、図３（ａ）は同ヒートポンプ給湯装置のヒートポンプユニットと別設貯湯ユニットを横並びに並設した場合の配管接続状態を示す図、（ｂ）は同ヒートポンプ給湯装置のヒートポンプユニットと別設貯湯ユニットを背中合わせに設置した場合の配管接続状態を示す図、（ｃ）は同ヒートポンプ給湯装置のヒートポンプユニットと別設貯湯ユニットを向かい合わせに設置した場合の配管接続状態を示す図である。
【００３０】
図２において、実施の形態１と異なる部分を説明すると、Ａは別設貯湯ユニット、２９は第一貯湯タンク８に接続した別設貯湯タンクで、第一貯湯タンク８の給水接続口１２と給水接続管３０を介してと接続する第二給水接続口３１と、入水接続口２０と入水接続管３２を介して接続する第二入水接続口３３と、タンク接続口１３とタンク接続管３４を介して接続する第二タンク接続口３５と、切換接続口２３と給水戻り管３６を介して接続する第二切換接続口３７を備えており、第二給水接続口３１と第二入水接続口３３と第二タンク接続口３５と第二切換接続口３７で第二配管接続部Ｎを形成している。本実施例２では、別設貯湯ユニットＡの左から第二給水接続口３１、タンク接続口３５、第二入水接続口３３、第二切換接続口３７の順に配置しており、ヒートポンプユニット１の配管接続部Ｍの配置と逆配列となるようにしている。
【００３１】
次に、以上のような構成にて動作を説明する。まず、第一貯湯タンク８と別設貯湯タンク２９に給水を行う場合について説明する。多くの湯を必要とするヒートポンプユニット１と別設貯湯ユニットＡの並設運転を行う場合は、給水管９からの給水が別設貯湯タンク２９側からタンク接続管３４を通って第一貯湯タンク８に給水されるように給水切換弁１１の流路を切り換えてある。それほど多くのお湯を必要としない場合は、ヒートポンプユニット１の単独運転を選べば良く、その場合は給水切換弁１１が第一貯湯タンク８側のみに給水されるように流路を切り換える。
【００３２】
次に、ヒートポンプユニット１と別設貯湯ユニットＡとの並設運転で沸き上げを行う場合について説明する。圧縮機３から吐出した高温高圧のガス冷媒が、給湯用熱交換器４に流入する。一方、別設貯湯タンク２９を接続した場合には、別設貯湯タンク２９底部の水をヒートポンプ加熱手段２へ導くように入水切換弁１６の流路が切り換えられており、積層ポンプ１７により給水管３０からＨＰ往き管１４を通り給湯用熱交換器４に導き、ここで冷媒の凝縮熱によって水が加熱され、高温水となってＨＰ戻り管１５を通り第一貯湯タンク８上部に流入する。凝縮液化した冷媒は膨張弁５で減圧され、大気熱交換器６で熱回収された大気熱により気化蒸発させられ、再び圧縮機３に流入して１サイクルの運転になる。ヒートポンプ加熱手段２での沸上げ開始時に、熱交換された湯の温度が所定の沸上げ温度以下であることを沸き上げサーミスタＳが検知すると、三方弁１８が湯を貯湯タンク戻り管２１側へ導くように流路を切り換えると共に、給水戻り管３６を通って別設貯湯タンク２９底部へと湯を戻すように戻り水切換弁２２の流路を切り換えるようになっている。そして、沸き上げサーミスタＳが所定の温度以上を検出すると、沸き上がった湯はＨＰ戻り管１５を通って第一貯湯タンク８の上部へと流れるようになっている。
【００３３】
尚、ヒートポンプユニット１での単独運転を行う場合の沸き上げ動作は実施例１と同じである。
【００３４】
次に、図３（ａ）〜（ｃ）において、ヒートポンプユニット１と別設貯湯ユニットＡを並設した場合の配管接続について説明する。
【００３５】
図３（ａ）は、ヒートポンプユニット１と別設貯湯ユニットＡを横並びに並設した場合であり、ヒートポンプユニット１の配管接続部Ｍの配列に対して別設貯湯ユニットＡの第二配管接続部Ｎの配列が逆配列となっていることにより、給水接続管３０、タンク接続管３４、入水接続管３２、給水戻り管３６は互いにクロスすることなく配管できるようになっている。また、横並びで並設する場合には、ヒートポンプユニット１と別設貯湯ユニットＡの高さと奥行き寸法が同一であると、見栄えはさらに良くなる。
【００３６】
図３（ｂ）は、ヒートポンプユニット１と別設貯湯ユニットＡを背中合わせに設置した場合であり、この場合も図３（ａ）同様に配管接続部Ｍと第二配管接続部Ｎが相対する位置にくるので、給水接続管３０、タンク接続管３４、入水接続管３２、給水戻り管３６が互いにクロスすることなく配管できるようになっている。また、配管接続部Ｍと第二配管接続部Ｎが同一外装面である前面Ｆと前面Ｇに臨むように配設されていることにより、給水接続管３０とタンク接続管３４と入水接続管３２と給水戻り管３６を機器本体と接地面の間に通すことも可能となり、配管が機器本体の外側に出ることがないので施工しやすく見栄えも良い。
【００３７】
図３（ｃ）はヒートポンプユニット１と別設貯湯ユニットＡを向かい合わせに設置した場合であり、この場合も図３（ａ）と同様に配管接続部Ｍと第二配管接続部Ｎが相対する位置にくるので施工しやすく見栄えも良い。
【産業上の利用可能性】
【００３８】
以上のように、本発明にかかるヒートポンプ給湯装置は、基本タンクを内臓した熱源ユニットに使用実態に応じて別設貯湯ユニットを増設できる構成を提供するもので、ヒートポンプを熱源とする給湯機に限らず、電気、ガス等を熱源とする全ての貯湯式給湯装置に利用可能である。
【図面の簡単な説明】
【００３９】
【図１】本発明の実施例１におけるヒートポンプ給湯装置のシステム構成図
【図２】本発明の実施例２におけるヒートポンプ給湯装置のシステム構成図
【図３】（ａ）同ヒートポンプ給湯装置のヒートポンプユニットと別設貯湯ユニットを横並びに並設した場合の配管接続状態を示す図（ｂ）同ヒートポンプ給湯装置のヒートポンプユニットと別設貯湯ユニットを背中合わせに設置した場合の配管接続状態を示す図（ｃ）同ヒートポンプ給湯装置のヒートポンプユニットと別設貯湯ユニットを向かい合わせに設置した場合の配管接続状態を示す図
【図４】従来のヒートポンプ給湯装置のシステム構成図
【符号の説明】
【００４０】
１  ヒートポンプユニット
２  ヒートポンプ加熱手段
８  第一貯湯タンク
Ａ  別設貯湯ユニット
Ｍ  配管接続部
【図１】
2005188762.tif 000003
【図２】
2005188762.tif 000004
【図３】
2005188762.tif 000005
【図４】
2005188762.tif 000006